(57)【要約】【課題】ユーザーが所望する住所に対応する地図を、ユーザーの位置がわかりやすく表記された形で提供する。【解決手段】ユーザーの現在位置に応じた地図情報を提供する地図情報提供システムであって、インターネット２上に配置され、緯度及び経度に対応づけられた地理的情報を含む地図情報とを対応付けて記憶した地図情報配信部３４と、ユーザーの現在位置を取得する位置情報取得部１４４と、位置情報取得部１４４が取得したユーザーの現在位置に基づいて、ユーザーの地図情報上にユーザーの現在位置を中心とした範囲の地図情報を切り出して、表示用地図データを生成する表示データ生成部１４６と、表示データ生成部１４６が生成した表示用地図データを出力する出力インターフェース１３とを備える。【選択図】 図１
2020086410.tif 000002
【特許請求の範囲】
【請求項１】
ユーザーの現在位置に応じた地図情報を提供する地図情報提供システムであって、
通信ネットワーク上に配置され、緯度及び経度に対応づけられた地理的情報を含む地図情報とを対応付けて記憶した地図情報記憶手段と、
前記ユーザーの現在位置を取得する位置情報取得部と、
前記位置情報取得部が取得した前記ユーザーの前記現在位置に基づいて、前記ユーザーの前記地図情報上に前記ユーザーの現在位置を中心とした範囲の地図情報を切り出して、表示用地図データを生成する表示地図生成部と、
前記表示地図生成部が生成した表示用地図データを出力する出力部と
を備えることを特徴とする地図情報提供システム。
【請求項２】
前記ユーザーが携帯する情報端末装置をさらに備え、
前記位置情報取得部は前記情報端末装置に備えられたＧＰＳによって現在位置を取得する
ことを特徴とする請求項１に記載の地図情報提供システム。
【請求項３】
前記ユーザーが携帯する情報端末装置と、
任意の対象物表面に表示され、緯度及び経度に関連付けられた位置情報がコード化されたコード情報と
をさらに備え、
前記位置情報取得部は、前記情報端末装置に備えられた撮影手段により前記コード情報を撮影し、撮影されたコード情報を解析して抽出された位置情報を前記ユーザーの現在位置として取得する
ことを特徴とする請求項１に記載の地図情報提供システム。
【請求項４】
前記ユーザーが携帯する情報端末装置をさらに備え、
前記出力部は、前記情報端末装置に備えられた表示手段である
ことを特徴とする請求項１に記載の地図情報提供システム。
【請求項５】
前記ユーザーが携帯する情報端末装置をさらに備え、
前記出力部は、前記情報端末装置から送出された表示用地図情報を受信して印刷する印刷手段である
ことを特徴とする請求項１に記載の地図情報提供システム。
【請求項６】
ユーザーの現在位置に応じた地図情報を提供する地図情報提供プログラムであって、通信ネットワーク上に配置されたサーバー装置を、
緯度及び経度に対応づけられた地理的情報を含む地図情報とを対応付けて記憶した地図情報記憶手段と、
前記ユーザーの現在位置を取得する位置情報取得部と、
前記位置情報取得部が取得した前記ユーザーの前記現在位置に基づいて、前記ユーザーの前記地図情報上に前記ユーザーの現在位置を中心とした範囲の地図情報を切り出して、表示用地図データを生成する表示地図生成部
として機能させることを特徴とする地図情報提供プログラム。
【請求項７】
ユーザーの現在位置に応じた地図情報を提供する地図情報提供プログラムであって、前記ユーザーが携帯し、通信ネットワーク上に接続可能な情報端末装置を、
前記ユーザーの現在位置を取得する位置情報取得部と、
前記位置情報取得部が取得した前記ユーザーの前記現在位置に基づいて、地図情報から、前記ユーザーの現在位置を中心とした範囲の地図情報を切り出して、表示用地図データを出力する出力部
として機能させることを特徴とする地図情報提供プログラム。
【請求項８】
前記位置情報取得部はユーザーが携帯する情報端末装置に備えられたＧＰＳによって現在位置を取得する
ことを特徴とする請求項６又は７に記載の地図情報提供プログラム。
【発明の詳細な説明】
【技術分野】
【０００１】
本発明は、ユーザーの現在位置に応じた地図情報を提供する地図情報提供システム及び地図情報提供プログラムに関する。
【背景技術】
【０００２】
近年、携帯が可能で、無線通信による情報通信を行うスマートフォンや携帯電話、モバイルＰＣなどの情報処理装置が普及してきているとともに、ＧＰＳ等の位置情報サービスが利用可能となるなど、多機能化が進んでいる。このような情報処理装置の携帯性と、位置情報サービスとを利用した地図情報提供が種々提案されている。例えば、特許文献１には、利用者が対応する地図情報を記録紙に印刷された形で所望する場合に、操作入力された住所情報に対応した地図情報を記録紙に印刷して利用者に提供するサービスが提案されている。
【０００３】
この特許文献１に開示されたサービスでは、各住所情報とそれら各住所情報により特定されるそれぞれの地域についての地図情報とを対応付けて記憶しておき、入力された印刷対象住所情報に対応する地図情報ファイルを選択して読み出し、プリンターなどによって印刷出力する。
【先行技術文献】
【特許文献】
【０００４】
【特許文献１】特開２００６−２３４９８８号公報
【発明の概要】
【発明が解決しようとする課題】
【０００５】
ところが、上記特許文献１に開示されたサービスでは、ファイル群の中から所望の住所に対応する地図情報をファイル名で選択して読み出し、ファイル単位で印刷出力するものであることから、ユーザーの現在位置が不明であったり、現在位置が表記されていても紙面の端であったりして、使いづらいという問題があった。
【０００６】
そこで、本発明は、かかる事情に鑑みてなされたものであり、ユーザーが所望する住所に対応する地図を、ユーザーの位置がわかりやすく表記された形で提供できる地図情報提供システム及び地図情報提供プログラムを提供することを目的とする。
【課題を解決するための手段】
【０００７】
上記課題を解決するために、本発明は、ユーザーの現在位置に応じた地図情報を提供する地図情報提供システムであって、通信ネットワーク上に配置され、緯度及び経度に対応づけられた地理的情報を含む地図情報とを対応付けて記憶した地図情報記憶手段と、ユーザーの現在位置を取得する位置情報取得部と、位置情報取得部が取得したユーザーの現在位置に基づいて、ユーザーの地図情報上にユーザーの現在位置を中心とした範囲の地図情報を切り出して、表示用地図データを生成する表示地図生成部と、表示地図生成部が生成した表示用地図データを出力する出力部とを備えることを特徴とする。
【０００８】
上記発明において、ユーザーが携帯する情報端末装置をさらに備え、位置情報取得部は情報端末装置に備えられたＧＰＳによって現在位置を取得することが好ましい。上記発明において、ユーザーが携帯する情報端末装置と、任意の対象物表面に表示され、緯度及び経度に関連付けられた位置情報がコード化されたコード情報とをさらに備え、位置情報取得部は、情報端末装置に備えられた撮影手段によりコード情報を撮影し、撮影されたコード情報を解析して抽出された位置情報をユーザーの現在位置として取得することが好ましい。上記発明において、ユーザーが携帯する情報端末装置をさらに備え、出力部は、情報端末装置に備えられた表示手段であることが好ましい。上記発明において、ユーザーが携帯する情報端末装置をさらに備え、出力部は、情報端末装置から送出された表示用地図情報を受信して印刷する印刷手段であることが好ましい。
【０００９】
なお、上述した本発明に係るシステムや方法は、所定の言語で記述された本発明のプログラムをコンピューター上で実行することにより実現することができる。すなわち、本発明のプログラムを、携帯端末装置やスマートフォン、ウェアラブル端末、モバイルＰＣその他の情報処理端末、パーソナルコンピューターやサーバーコンピューター等の汎用コンピューターのＩＣチップ、メモリ装置にインストールし、ＣＰＵ上で実行することにより、上述した各機能を有するシステムを構築して、本発明に係る方法を実施することができる。
【００１０】
すなわち、本発明は、ユーザーの現在位置に応じた地図情報を提供する地図情報提供プログラムであって、通信ネットワーク上に配置されたサーバー装置を、緯度及び経度に対応づけられた地理的情報を含む地図情報とを対応付けて記憶した地図情報記憶手段と、ユーザーの現在位置を取得する位置情報取得部と、位置情報取得部が取得したユーザーの現在位置に基づいて、ユーザーの地図情報上にユーザーの現在位置を中心とした範囲の地図情報を切り出して、表示用地図データを生成する表示地図生成部として機能させることを特徴とする。
【００１１】
また、本発明は、ユーザーの現在位置に応じた地図情報を提供する地図情報提供プログラムであって、ユーザーが携帯し、通信ネットワーク上に接続可能な情報端末装置を、ユーザーの現在位置を取得する位置情報取得部と、位置情報取得部が取得したユーザーの現在位置に基づいて、地図情報から、ユーザーの現在位置を中心とした範囲の地図情報を切り出して、表示用地図データを出力する出力部として機能させることを特徴とする。
【００１２】
このような本発明のプログラムは、例えば、通信回線を通じて配布することが可能であり、また、コンピューターで読み取り可能な記録媒体に記録することにより、スタンドアローンの計算機上で動作するパッケージアプリケーションとして譲渡することができる。この記録媒体として、具体的には、フレキシブルディスクやカセットテープ等の磁気記録媒体、若しくはＣＤ-ＲＯＭやＤＶＤ-ＲＯＭ等の光ディスクの他、ＲＡＭカードなど、種々の記録媒体に記録することができる。そして、このプログラムを記録したコンピューター読み取り可能な記録媒体によれば、汎用のコンピューターや専用コンピューターを用いて、上述したシステム及び方法を簡便に実施することが可能となるとともに、プログラムの保存、運搬及びインストールを容易に行うことができる。
【発明の効果】
【００１３】
以上述べたように、本発明によれば、例えば、ユーザーの現在位置など、ユーザーが所望する住所に対応する地図を、ユーザーの位置がわかりやすく表記された形で提供できる。
【図面の簡単な説明】
【００１４】
【図１】実施形態に係る地図情報提供システムの全体構成を示す概念図である。
【図２】実施形態に係るユーザー端末の画面構成を示す説明図である。
【図３】実施形態に係る地図情報提供サーバー３の内部構成を示すブロック図である。
【図４】実施形態に係るスマートフォン１の内部構成を示すブロック図である。
【図５】実施形態に係る地図情報提供システムの動作を示すシーケンス図である。
【図６】実施形態に係る表示用地図データの生成動作を示す説明図である。
【発明を実施するための形態】
【００１５】
以下に添付図面を参照して、本発明に係る地図情報提供システム及び地図情報提供プログラムの実施形態を詳細に説明する。なお、以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１６】
（地図情報提供システムの構成）
図１は、本実施形態に係る地図情報提供システムの全体構成を示す概念図である。本実施形態に係る地図情報提供システムは、図１に示すように、サービスの提供を受けるユーザー１０が使用する携帯端末装置であるスマートフォン１と、インターネット２上に設置された地図情報提供サーバー３とから概略構成される。なお、本実施形態では、スマートフォン１を携帯端末装置の一例として説明する。
【００１７】
地図情報提供サーバー３は、ユーザーの現在位置に応じた地図情報を提供するサーバー装置であり、単一のサーバー装置、又は複数のサーバー装置群により構成することができ、複数の機能モジュールをＣＰＵ上に仮想的に構築し、それぞれの機能モジュールが協動して本サービスに係る処理を実行する。また、この地図情報提供サーバー３は、通信機能によりインターネット２を通じて、データ送受信を行うことができるとともに、Ｗｅｂサーバー機能によりブラウザソフトを通じてＷｅｂページの提示などを行うことができる。
【００１８】
スマートフォン１は、無線通信を利用した携帯可能な情報処理端末装置であり、無線基地局２２等の中継点と携帯電話機が無線で通信し、通話やデータ通信等の通信サービスを移動しつつ受けることができる。この携帯電話機の通信方式としては、例えば、３Ｇ（3rd. Generation）方式、ＬＴＥ（Long Term Evolution）方式、４Ｇ方式、ＦＤＭＡ方式、ＴＤＭＡ方式、ＣＤＭＡ方式、Ｗ−ＣＤＭＡの他、ＰＨＳ（Personal Handyphone System）方式等が挙げられる。また、このスマートフォン１は、デジタルカメラ機能、アプリケーションソフトの実行機能、ＧＰＳ（Global Positioning System）などによる位置情報取得機能等、種々の機能が搭載され、タブレットＰＣ等のモバイルコンピュータも含まれる。
【００１９】
位置情報取得機能は、自機の位置を示す位置情報を取得し、記録する機能であり、この位置情報取得機能としては、図１に示すように、例えば、ＧＰＳのような衛星２１からの信号によって自機の位置を検出する方法や、携帯電話の無線基地局２２や、Ｗｉｆｉ通信のアクセスポイントからの電波強度などによって位置を検出する方法が含まれる。
【００２０】
そして、このスマートフォン１は、情報を表示する表示部としての液晶ディスプレイを備えるとともに、ユーザーが入力操作を行うための操作ボタン等の操作デバイスを備え、本実施形態では、操作デバイスとして、液晶ディスプレイに重畳されて配置され液晶ディスプレイ上の座標位置を指定するタッチ操作などによる操作信号を取得するタッチパネルが備えられている。このタッチパネルは、ユーザーの指先やペンなどを用いたタッチ操作による圧力によって操作信号を入力する入力デバイスであり、グラフィックを表示する液晶ディスプレイと、この液晶ディスプレイに表示されたグラフィックの座標位置に対応した操作信号を受け付けるタッチセンサとが重畳されて構成されている。
【００２１】
さらに、本実施形態では、現在位置の位置情報を配布・提供する手段として掲示板４が各地に設置されている。この掲示板４は、その場所の位置情報をＱＲコード（登録商標）等のコード情報４０として提示する設備であり、例えば駅や公園等の公共施設、観光地、宿泊施設等に設置されたインフォメーション用の設備の他、自動販売機や電信柱などであってもよい。
【００２２】
コード情報４０は、掲示板４等が設置された緯度・経度・高度の他、掲示板４を識別するための媒体ＩＤや、掲示板４が設置されている施設を識別する情報がコード化されたＱＲコード（登録商標）やバーコード等のコード画像であり、掲示板４等の表面に印刷され、又はシールとして貼り付けられている。そして、このコード情報４０の提示・配布場所（ここでは、掲示板４の設置場所及びコード画像の貼り付け箇所）に関する情報は、コード情報４０を識別するコード情報ＩＤと紐付けられて地域情報用データベース３５ｂに蓄積されている。なお、このコード情報４０は、その貼り付け箇所が固定されている場合には、そのコード画像にカメラを向けたときのカメラ撮影方向もコード情報ＩＤと紐付けてデータベースに蓄積してもよい。
【００２３】
さらに、コード情報４０には、周囲の環境その地域に関係する観光情報、災害情報を特定する識別子などが含まれている。さらに、このコード情報４０は、掲示板４等の設備の表面に貼り付けられるだけでなく、広告ポスターや看板、インフォメーション用の設備で配布されるチラシやパンフレットなどに印刷されるものであってもよい。
【００２４】
なお、上述したコード情報４０に関連付けられる緯度・経度・高度・方向、掲示板４等の媒体の種別、媒体ＩＤ、配布された場所・施設に関する情報、周囲の環境・地域に関係する観光上や災害情報などは、可能であればコード情報４０内にコード化して記述してもよく、各種情報を特定する識別子のみをコード化してコード情報４０内に記述しておき、その識別子に紐付けられた地図データベース３５ａ又は地域情報用データベース３５ｂを参照することで、詳細な情報をサーバー側から取得するようにしてもよい。
【００２５】
（各装置の内部構造）
次いで、上述した地図情報提供システムを構成する各装置の内部構造について説明する。図３は、本実施形態に係る地図情報提供サーバー３の内部構成を示すブロック図であり、図４は、本実施形態に係るスマートフォン１の内部構成を示すブロック図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００２６】
（１）地図情報提供サーバー
先ず、地図情報提供サーバー３の内部構成について説明する。地図情報提供サーバー３は、インターネット２上に配置されたサーバー装置であり、インターネット２を通じて、各スマートフォン１とデータの送受信を行えるようになっている。
【００２７】
地図情報提供サーバー３は、インターネット２を通じてデータ通信を行う通信インターフェース３１と、利用者や利用者端末の権限を認証する認証部３３と、各利用者端末の位置情報を収集して管理する位置情報管理部３２と、各ユーザーの位置に基づく表示地図データの生成処理を実行する表示用地図データ生成部３６と、各ユーザーに対して地図情報提供データを配信する３４と、種々のデータベース群３５とを備えている。
【００２８】
データベース群には、地理情報を含む全国及び各地域の地図情報を記憶する地図情報記憶部としての地図データベース３５ａと、各地域の観光情報や防災情報、コンビニやガソリンスタンド等の各種店舗情報を蓄積する地域情報用データベース３５ｂとが含まれる。これらの各データベースとしては、単一のデータベースとしてもよく、複数のデータベースに分割し、相互にリレーションを設定することで各データ同士を紐付けたリレーショナルデータベースとして構成することができる。
【００２９】
地図データベース３５ａは、図６に示すように、各地域の地理情報を含む複数の地図情報ファイルＭ０〜ｎを記憶する記憶装置であり、山や谷、河川等の自然的な地理的要素、建物や道路、鉄道などの人工物、地名や住所、交通規制などが記憶される。なお、この地図データベース３５ａは、地図情報提供サーバー３を運用するサービス提供者自身が所有・運用するものの他、他の地図サービス提供者が運用する地図データベースであってもよい。また、地図情報ファイルＭ０〜ｎは、複数のデータファイルに分割されて蓄積されており、各データファイルはベクターデータ形式であってもよく、ラスターデータ形式であってもよい。
【００３０】
地域情報用データベース３５ｂに蓄積される情報としては、各地域の観光情報や防災情報、コンビニやガソリンスタンド等の商業施設、レジャー施設が含まれ、各情報は、カテゴライズされて適宜フィルタリングできるようになっている。このフィルタリングをするための条件は、配布されるコード情報４０内に含めることができ、ユーザーがコード情報を選択することにより、絞り込みの条件も選択・設定されることとなり、そのユーザーの選択に従って、コード情報が提供された場所や環境に応じてフィルタリングされた地域情報が表示された地図情報が配布されるようになっている。このフィルタリング処理は、地域情報フィルター部３７において実行される。
【００３１】
位置情報管理部３２は、利用者端末装置側で取得された位置情報を取得するモジュールであり、取得された位置情報は、利用履歴としてデータベースに蓄積される。この位置情報管理部３２は、利用者端末装置側で緯度・経度・高度或いは方角などがある程度算定できている場合にはその値をそのまま取得するようにしてもよく、利用者端末装置側で、例えば、ＱＲコード（登録商標）のみを取得しそのコードを解析することなくそのまま地図情報提供サーバー３へ転送し、地図情報提供サーバー３側でＱＲコード（登録商標）の解析をするようにしてもよい。また、利用者の現在位置を、携帯電話の無線基地局や、Ｗｉｆｉ通信のアクセスポイントからの電波強度などによって推定する場合には、電波強度や基地局・アクセスポイントの識別子等の情報を、利用者端末装置１側から取得して、地図情報提供サーバー３側で基地局マップ等を参照し、ユーザーの現在位置を算定するようにしてもよい。
【００３２】
表示用地図データ生成部３６は、位置情報取得部１４４が取得したユーザー（利用者端末装置）からの位置情報に基づいて、ユーザーが指定した位置や方角、例えばユーザーの現在位置を中心とした範囲の複数の地図情報Ｍ０〜ｎを接続した広範囲の地図情報内から、表示に必要な範囲を切り出して、表示用地図データＤＭ１を生成するモジュールである。本実施形態では、この表示用地図データ生成部３６は、地域情報フィルター部３７を備えている。また、本実施形態では、図６に示すように、地図を印刷した際の表示用地図データＤＭ１を、ユーザーが現在むいている方角が上向きとなるように、表示範囲を回転させるようになっている。
【００３３】
地域情報フィルター部３７は、地域情報用データベース３５ｂに蓄積されている、各地域の観光情報や防災情報、コンビニやガソリンスタンド等の商業施設、レジャー施設などの地域情報について、各情報のカテゴリーに応じてフィルタリングを行うモジュールである。このフィルタリングの条件は、例えば、コード情報４０内に含められたコード情報を読み出して絞り込みの条件としたり、掲示板４が設置されている施設の種類など、そのコード情報が提供された場所や環境に応じた条件でフィルタリングしてもよい。
【００３４】
また、表示用地図データ生成部３６は、ユーザが指定する位置を中心とした範囲の地理情報を切り出してベースとなる基本地図を作成するとともに、上述した地域情報フィルター部３７によってフィルタリングにより抽出された情報をアイコンや図形として基本地図上に重畳させて合成し、表示用地図データを生成する。なお、本実施形態では、地域情報を基本地図に合成して配信するが、例えば、地域情報を基本地図とは別個のデータとして配信し、利用者端末装置側の地域情報管理部１４１などで適宜合成するようにしてもよい。生成された表示用地図データ及び地域情報は関連付けられた一つのデータとして地図情報配信部３４に入力される。
【００３５】
地図情報配信部３４は、ユーザーの現在位置に基づいて、表示用地図データ生成部３６が生成した表示用地図データを、通信インターフェース３１を通じて，各ユーザーに配信するモジュールである。この表示用地図データとしては、画像ファイルなどのラスターデータとして配信してもよく、ベクターデータとして配信してもよい。また、印刷処理のために予めＰＤＦ形式にして配信するようにしてもよい。なお、地域情報は、基本地図に合成して配信してもよく、地域情報を基本地図とは別個のデータとして配信し、利用者端末装置側で適宜合成するようにしてもよい。
【００３６】
（２）スマートフォン１
次いで、スマートフォン１の内部構成について説明する。スマートフォン１の内部構成について説明する。図４に示すように、スマートフォン１は、通信インターフェース１１と、入力インターフェース１２と、出力インターフェース１３と、アプリケーション実行部１４と、メモリ１５とを備えている。
【００３７】
通信インターフェース１１は、データ通信を行うための通信インターフェースであり、無線等による非接触通信や、ケーブル、アダプタ手段等により接触（有線）通信をする機能を備えている。入力インターフェース１２は、マウス、キーボード、操作ボタンやタッチパネル１２ａなどユーザー操作を入力するデバイスである。また、出力インターフェース１３は、ディスプレイやスピーカーなど、映像や音響を出力するデバイスである。特に、この出力インターフェース１３には、液晶ディスプレイなどの表示部１３ａが含まれ、この表示部は、入力インターフェースであるタッチパネル１２ａに重畳されている。
【００３８】
メモリ１５は、ＯＳ（Ｏｐｅｒａｔｉｎｇ  Ｓｙｓｔｅｍ）やファームウェア、各種のアプリケーション用のプログラム、その他のデータ等などを記憶する記憶装置であり、このメモリ１５内には、ユーザーを識別するユーザーＩＤの他、地図情報提供サーバー３からダウンロードした地図情報提供アプリケーションデータを蓄積するとともに、アプリケーション実行部１４で処理された位置情報取得処理で取得された位置情報の遷移等が蓄積される。特に、本実施形態では、メモリ１５には、地図情報提供サーバー３から取得した、表示用地図データが格納されている。
【００３９】
アプリケーション実行部１４は、一般のＯＳや地図情報提供アプリケーション、ブラウザソフトなどのアプリケーションを実行するモジュールであり、通常はＣＰＵ等により実現される。このアプリケーション実行部１４では、本発明に係る地図情報提供プログラムが実行されることで、地域情報管理部１４１、同期処理部１４２、印刷処理部１４３、表示データ生成部１４６、表示制御部１４５，位置情報取得部１４４等の機能モジュールが仮想的に構築される。
【００４０】
位置情報取得部１４４は、ユーザーが指示する位置情報、例えばユーザーが位置する現在位置などを取得するモジュールである。この位置情報取得部１４４による位置情報の取得は、例えば、ＧＰＳやジャイロセンサによって取得された緯度・経度や方角から、自機の現在位置及び向いている方向を取得したり、通信インターフェース１１を通じて取得される通信基地局、アクセスポイント、周囲の各周波数帯における電波信号の種類及び強度等から、自機が在圏する通信エリアを検出したりする方法が挙げられる。
【００４１】
また、位置情報取得部１４４は、カメラ１２１により撮影されたＱＲコード（登録商標）やバーコード等のコード画像を解析することにより、コード画像に含まれている識別子に紐付けられた緯度・経度・高度その他の情報に基づいてそのコード画像が設置されている場所の位置情報を取得する機能も備えている。なお、本実施形態では、掲示板４などの表面にコード情報４０が印刷され、或いはシールとして貼り付けられており、そのシール等を撮影するタイミングで自動的に自機の現在位置及び向いている方角を取得する。掲示板４に貼り付けられたコード情報４０を撮影している瞬間は、そのコード情報４０に接近し、且つコード情報４０に対向している状態であるため、より正確な座標位置、及び向いている方向を自動的に取得することができる。
【００４２】
地域情報管理部１４１は、地図情報提供サーバー３側の地域情報フィルター部３７と協動して、地域情報用データベース３５ｂに蓄積されている、各地域の観光情報や防災情報、コンビニやガソリンスタンド等の商業施設、レジャー施設などの地域情報の配信要求を行うモジュールである。この配信要求は、本実施形態では、各情報のカテゴリーに応じたフィルタリング条件として、地図情報提供サーバー３の地域情報フィルター部３７に送信されるようになっている。このフィルタリング条件を含む配信要求は、位置情報取得部１４４が取得した位置情報とともに地図情報提供サーバー３側に送信してもよい。
【００４３】
また、この地域情報は、基本地図とは別のデータファイルとして取得することもでき、スマートフォン１側で、各地域情報をアイコンや図形として基本地図に重畳するように合成するようにしてもよい。このとき、ユーザーの選択操作で基本地図上に合成される地域情報のカテゴリー等を適宜切り替えるようにしてもよい。さらに、この地域情報の選択は、撮影されたコード情報４０内に含められたデータを用いて絞り込みの条件としたり、そのコード情報が提供された場所や環境に応じた条件で自動的に行うようにしてもよい。
【００４４】
同期処理部１４２は、スマートフォン１側での地域情報管理処理と、地図情報提供サーバー３側での地域情報フィルタリング処理とを同期させたり連動させたりするモジュールである。具体的には、地図情報提供サーバー３に要求する地域情報を、地図情報提供サーバー３側に、同期処理部１４２を介して送信したり、地図情報提供サーバー３から送信された地域情報を受信して、ユーザー操作に基づいてさらに選択したりなどの処理を実行する。なお、配信された表示用地図データがラスターデータであったときには、そのまま印刷処理部や表示データ生成部１４６へ受け渡す。
【００４５】
印刷処理部１４３は、表示データ生成部１４６で表示される表示用地図データを、印刷可能なデータ形式に変換し、印刷装置に送出するモジュールであり、プリンター等のドライバープログラムも含まれている。
【００４６】
表示データ生成部１４６は、表示部１３ａに表示させるための表示データを生成するモジュールである。表示データは、グラフィックデータの他、画像データや、文字データ、動画データ、音声その他のデータを組み合わせて生成される動画データであってもよい。特に、本実施形態に係る表示データ生成部１４６は、位置情報取得部１４４が取得したユーザーの現在位置に基づいて、地図情報Ｍ１上にユーザーが指定した位置（ユーザーの現在位置）を中心に位置させた表示用地図データを、画面に表示させる画像データに変換する機能を果たしている。この表示データ生成部１４６で生成された表示データの表示処理は、表示制御部１４５で制御される。
【００４７】
表示制御部１４５は、表示データ生成部１４６が生成した表示用地図データを表示部１３ａ等の出力インターフェース１３を通じて出力させるモジュールであり、地域情報が基本地図とは別途の表示データとして生成されている場合には、ユーザー操作、又は出力条件に応じて、基本地図上に地域情報を重畳させて表示する制御を実行する。この表示制御部１４５の制御に従って表示部１３ａは、基本地図及び地域情報が重畳された表示用地図データを表示させる。
【００４８】
（地図情報提供方法）
以上説明した地図情報提供システムを動作させることによって、本発明の地図情報提供方法を実施することができる。図５は、地図情報提供システムの動作を示すシーケンス図である。なお、以下で説明する処理手順は一例に過ぎず、各処理は可能な限り変更されてもよい。また、以下で説明する処理手順について、実施の形態に応じて、適宜、ステップの省略、置換及び追加が可能である。
【００４９】
同図に示すように、先ず、スマートフォン１側の位置情報取得部１４４で位置情報を取得し、取得した位置情報をサーバー３に送信する（Ｓ２０１）。本実施形態では、スマートフォン１のカメラ１２１により、掲示板４に貼り付けられたＱＲコード（登録商標）等のコード情報４０を撮影して解析することにより、コード画像に含まれている識別子に紐付けられた緯度・経度・高度その他の情報に基づいてそのコード画像が設置されている場所の位置情報を取得する。
【００５０】
または、スマートフォン１のＧＰＳやジャイロセンサによって取得された緯度・経度や、方角から、自機の現在位置及び向いている方向を取得したり、通信インターフェース１１４を通じて取得される通信基地局、アクセスポイント、周囲の各周波数帯の電波信号の種類及び強度等から、自機が在圏する通信エリアを取得したりすることにより、自機の現在位置を特定することもできる。本実施形態では、掲示板４などの表面にコード情報４０が印刷され、或いはシールとして貼り付けられており、そのシール等を撮影するタイミングで自動的に自機の現在位置及び向いている方角を取得する。
【００５１】
この取得された位置情報は、地図情報提供サーバー３へ送信される（Ｓ１０１）。このとき、スマートフォン１の地域情報管理部１４１は、地図情報提供サーバー３側の地域情報フィルター部３７と協動して、地域情報用データベース３５ｂに蓄積されている、各地域の観光情報や防災情報、コンビニやガソリンスタンド等の商業施設、レジャー施設などの地域情報の参照を要求する。この参照要求では、各情報のカテゴリーに応じたフィルタリング条件が、地図情報提供サーバー３の地域情報フィルター部３７に送信される。このフィルタリング条件を含む要求では、位置情報取得部１４４が取得した位置情報を地図情報提供サーバー３側に送信してもよい。
【００５２】
送信された位置情報は、地図情報提供サーバー３側で取得される（Ｓ１０１）。具体的には、サーバー３の位置情報管理部３２が、取得された位置情報を利用履歴としてデータベースに蓄積する。このとき、位置情報管理部３２は、利用者端末装置側で緯度・経度まで算定できている場合にはその値をそのまま取得する。一方、利用者端末装置側で、ＱＲコード（登録商標）のみを取得しそのコードを解析することなくそのまま地図情報提供サーバー３へ転送した場合には、地図情報提供サーバー３側でＱＲコード（登録商標）の解析をするようにしてもよい。また、利用者の現在位置を、携帯電話の無線基地局や、Ｗｉｆｉ通信のアクセスポイントからの電波強度などによって位置を検出する場合には、電波強度や基地局・アクセスポイントの識別子を利用者端末装置側から地図情報提供サーバー３側へ転送し、地図情報提供サーバー３側にある基地局マップを参照して、地図情報提供サーバー３側でユーザーの現在位置を算定するようにしてもよい。
【００５３】
次いで、位置情報に基づいて表示用地図データを生成する（Ｓ１０２）。具体的には、表示用地図データ生成部３６が、位置情報取得部１４４が取得したユーザー（利用者端末装置）からの位置情報に基づいて、ユーザーが指定した位置、例えばユーザーの現在位置を中心とした範囲の地図情報を切り出して、表示用地図データを生成する。このとき本実施形態では、地域情報フィルター部３７が、地域情報用データベース３５ｂに蓄積されている、各地域の観光情報や防災情報、コンビニやガソリンスタンド等の商業施設、レジャー施設などの地域情報について、各情報のカテゴリーに応じてフィルタリングを行い、必要な情報のみを地図上に表記する。このフィルタリングの条件は、例えば、コード情報４０内に含められたコード情報を読み出して、絞り込みの条件としたり、そのコード情報が提供された場所や環境に応じた条件でフィルタリングしてもよい。
【００５４】
また、ステップＳ１０２では、ユーザが指定する位置を中心とした範囲の地理情報を切り出してベースとなる基本地図を作成するとともに、上述した地域情報フィルター部３７によってフィルタリングにより抽出された情報をアイコンや図形として前記基本地図上に重畳させて合成し、表示用地図データを生成する。この生成された表示用地図データ及び地域情報は関連付けられた一つのデータとして地図情報配信部３４に入力される。
【００５５】
生成された地図情報は、スマートフォン１側へ送信される（Ｓ１０３）。具体的には、地図情報配信部３４が、ユーザーの現在位置に基づいて、表示用地図データ生成部３６が生成した表示用地図データＤＭ１を、通信インターフェース３１を通じて，各ユーザーに配信する。このとき、配信される表示用地図データとしては、画像ファイルなどのラスターデータとして配信してもよく、ベクターデータとして配信してもよい。また、印刷処理のために予めＰＤＦ形式にして配信するようにしてもよい。なお、地域情報は、基本地図に合成して配信してもよく、地域情報を基本地図とは別個のデータとして配信し、利用者端末装置側で適宜合成するようにしてもよい。
【００５６】
そして、スマートフォン１側で受信された地図情報が出力される（Ｓ２０２，Ｓ２０３）。具体的には、スマートフォン１の表示データ生成部１４６が、ディスプレイ装置に表示させるための表示データを生成し、表示部１３ａに表示させる。特に、本実施形態に係る表示データ生成部１４６は、位置情報取得部１４４が取得したユーザーの現在位置に基づいて、地図情報上にユーザーが指定した位置（ユーザーの現在位置）を中心に位置させた表示用地図データＤＭ１を、画面に表示させる画像データに変換し、表示させる。このとき、地域情報が基本地図とは別途の表示データとして生成されている場合には、ユーザー操作、又は出力条件に応じて、基本地図上に地域情報を重畳させて表示する。また、この地図情報の出力では、印刷処理部１４３が表示データ生成部１４６で表示される表示用地図データを、印刷可能なデータ形式に変換し、印刷装置に送出し、印刷する。
【００５７】
（作用・効果）
以上説明したように、本実施形態によれば、ユーザーが所望する住所に対応する地図を、ユーザーの位置がわかりやすく表記された形で提供できる。すなわち、ユーザーの現在位置に基づいて、地図情報上にユーザーが指定した位置（ユーザーの現在位置）を中心に位置させた表示用地図データＤＭ１を、画面に表示させたり、紙媒体の地図として印刷することができるため、ユーザーが簡単に現在位置を確認して、地図上の目的地を見つけることができる。また、その地域の観光情報や災害情報などの地域情報も必要に応じて適宜フィルタリングした上で表示するため、目的に合わせて情報が整理された見やすい地図を配布できる。
【符号の説明】
【００５８】
Ｍ０〜ｎ…各地域の地図情報
Ｄ１…方位表示
ＤＭ１…表示用地図データ
１…スマートフォン
２…インターネット
３…地図情報提供サーバー
４…掲示板
１０…ユーザー
１１…通信インターフェース
１２…入力インターフェース
１２ａ…タッチパネル
１３…出力インターフェース
１３ａ…表示部
１４…アプリケーション実行部
１５…メモリ
２１…衛星
２２…無線基地局
３１…通信インターフェース
３２…位置情報管理部
３３…認証部
３４…地図情報配信部
３５…データベース群
３５ａ…地図データベース
３５ｂ…地域情報用データベース
３６…表示用地図データ生成部
３７…地域情報フィルター部
４０…コード情報
１４１…地域情報管理部
１４２…同期処理部
１４３…印刷処理部
１４４…位置情報取得部
１４５…表示制御部
１４６…表示データ生成部
【図１】
2020086410.tif 000003
【図２】
2020086410.tif 000004
【図３】
2020086410.tif 000005
【図４】
2020086410.tif 000006
【図５】
2020086410.tif 000007
【図６】
2020086410.tif 000008